(57)【要約】【課題】本考案は、光電センサとしてＣＭＯＳセンサーを用いることにより、乱反射しても１球１回の検知ができ、また、光電センサーを隣接して設置しても、検知すべきもの以外は検知しないから、パチンコ玉の流れ具合の傾向を正確に検知することができるパチンコ玉軌跡検出器を提供することを課題とする。【解決手段】パチンコ台１のガラス外側面に吸着盤９などで発光部２ａ及び受光部２ｂを備えたＣＭＯＳセンサー２を取り付け、検出用に打たれたパチンコ玉７が前記ＣＭＯＳセンサー２の照射する光軸の前を通過することにより前記発光部２ａからの光がパチンコ玉７に反射されるとともに前記受光部２ｂにより検出され、該受光部２ｂの検出する信号をマイクロコンピュータで解析することにより、パチンコ玉７の流れ具合の傾向を確認するようにしたパチンコ玉軌跡検出器である。【選択図】図１
0003134073.tif 000002
【実用新案登録請求の範囲】
【請求項１】
パチンコ台のガラス外側面に発光部及び受光部を備えたＣＭＯＳセンサーを取り付け、検出用に打たれたパチンコ玉が前記ＣＭＯＳセンサーの照射する光軸の前を通過することにより前記発光部からの光がパチンコ玉に反射されるとともに前記受光部により検出され、該受光部の検出する信号をマイクロコンピュータで解析することにより、パチンコ玉の流れ具合の傾向を確認するようにしたことを特徴とするパチンコ玉軌跡検出器。
【請求項２】
前記ＣＭＯＳセンサーが前記ガラス外側面に複数個取り付けられ、これら複数個のＣＭＯＳセンサー内の各発光部はそれぞれ異なるパルス出力周期を有する光を発光することを特徴とする請求項１に記載のパチンコ玉軌跡検出器。
【考案の詳細な説明】
【技術分野】
【０００１】
本考案は、パチンコ台の釘調整者が釘の調整時に該パチンコ台の玉の流れの傾向を検知するためのパチンコ玉軌跡検出器に関する。
【背景技術】
【０００２】
従来よりパチンコ台の釘の調整は「釘師」と称される熟練者によって勘に頼って行われており、各パチンコ台によって異なる玉の流れ等を合理的に検出することはできなかった。
【０００３】
近時、前記のような要請に応えるためとして、パチンコ台のガラス外側面に光電センサーを取り付け、検出用に打たれたパチンコ玉が前記光電センサーの照射する光軸の前を通過することにより該光電センサーの光がパチンコ玉に反射されるとともに光センサー内の受光器に検出され、該光センサーの検出する信号をマイクロコンピュータで解析することにより、パチンコ玉の流れ具合の傾向を統計的なデータとして得られるようにしたパチンコ玉軌跡検出器が提案されている(特許文献１)。
【特許文献１】実用新案登録第３０３２６９０号公報
【考案の開示】
【考案が解決しようとする課題】
【０００４】
ところが、前記光電センサーとして一般的に広く使用されているＣＣＤセンサー等を使用して前記のようなパチンコ玉軌跡検出器を作成した場合、パチンコ玉の特性上、多重に乱反射して１球で複数回検知してしまい、正確なパチンコ玉の流れ具合を検出できないため、実施することができなかった。
【０００５】
従来、光電センサーとして、ＣＭＯＳセンサーはＣＣＤセンサーよりも消費電力や生産コストが少ないのがメリットであるが、ノイズが出やすいというデメリットがあったため、利用範囲が制限されるきらいがあったが、近時ではノイズの出にくいＣＭＯＳセンサーが開発され、利用用途が広がっている。
【０００６】
このような背景の下に、本考案は、前記の光電センサとしてＣＭＯＳセンサーを用いることにより、前記のようにパチンコ玉に乱反射しても１球１回の検知ができ、また、ＣＭＯＳセンサーを隣接して設置しても、検知すべきもの以外は検知しないから、パチンコ玉の流れ具合の傾向を正確に検知することができるパチンコ玉軌跡検出器を提供することを課題とする。
【課題を解決するための手段】
【０００７】
上記課題を解決するために本考案のパチンコ玉軌跡検出器は、パチンコ台のガラス外側面に発光部及び受光部を備えたＣＭＯＳセンサーを取り付け、検出用に打たれたパチンコ玉が前記ＣＭＯＳセンサーの照射する光軸の前を通過することにより前記発光部からの光がパチンコ玉に反射されるとともに前記受光部により検出され、該受光部の検出する信号をマイクロコンピュータで解析することにより、パチンコ玉の流れ具合の傾向を確認するようにしたことを特徴とする。
【０００８】
この場合、前記ＣＭＯＳセンサーが前記ガラス外側面に複数個取り付けられ、これら複数個のＣＭＯＳセンサー内の各発光部はそれぞれ異なるパルス出力周期を有する光を発光することが有効である。
【考案の効果】
【０００９】
本考案のパチンコ玉軌跡検出器は、パチンコ台のガラス外側面に発光部及び受光部を備えたＣＭＯＳセンサーを取り付け、検出用に打たれたパチンコ玉が前記ＣＭＯＳセンサーの照射する光軸の前を通過することにより前記発光部からの光がパチンコ玉に反射されるとともに前記受光部により検出され、該受光部の検出する信号をマイクロコンピュータで解析することにより、パチンコ玉の流れ具合の傾向を確認するようにしたから、光がパチンコ玉に乱反射しても１球１回の検知ができ、また、光電センサーを隣接して設置しても、検知すべきもの以外は検知しないから、パチンコ玉の流れ具合の傾向正確に検知することができるパチンコ玉軌跡検出器を実現することができる。
【考案を実施するための最良の形態】
【００１０】
パチンコ玉軌跡検出器自体は基本的には特許文献１記載の従来提案の構成を採り入れて実施することができるが、光電センサーとしてＣＭＯＳセンサーを使用する。
【実施例】
【００１１】
図１はパチンコ台１にパチンコ玉軌跡検出器を取り付けた状態の斜視図であり、図において、２はＣＭＯＳセンサーであり、発光部２ａと受光部２ｂを備えている。実施例ではＣＭＯＳレーザセンサＧＶシリーズ（株式会社キーエンス製）参考特許（特開２００６−７４３６１号公報）が用いられている。３はデータ線、４は液晶表示器５を備えた検出器本体である。図２は１本の釘６の横をパチンコ玉７が通過する様子とＣＭＯＳセンサー２の取付位置の関係を示す正面図、図３はＣＭＯＳセンサー２の光をパチンコ玉７が反射する形態を示す断面側面図、図４は検出器全体のブロック図である。
図において、８はパチンコ台１のガラス面、９は前記ＣＭＯＳセンサー２をパチンコ台１のガラス表面８に取り付けるためのアーム付き吸着盤である。
【００１２】
ＣＭＯＳセンサー２で背景を記憶させ、その背景の変化をチェックし、レーザーの受光端子が反射角度と反射距離の変化をチェックし、レーザーの受光端子が光の吸収の変化をチェックする。このような複合的なチェックにより１球のパチンコ玉からの多重乱反射の悪影響を阻止することができる。また、ＣＭＯＳセンサー２の光のパルス出力周期を変えて、他のＣＭＯＳセンサーとの区別をする。
【００１３】
すなわち、複数のＣＭＯＳセンサ２を取り付けて検出する場合は、複数個のＣＭＯＳセンサ２の各発光部２ａは、それぞれ異なるパルス出力周期を有する光を発光するようにする。
【００１４】
ＣＭＯＳセンサー２から検出された信号はデータ線３によって検出器本体４に送られ、本体内部のマイクロプロセッサーによって解析されて液晶表示器５にその結果が表示される。
【００１５】
図２、図３に示すように、パチンコ玉７の通過する箇所のガラス面８にＣＭＯＳセンサー２を配置することによりパチンコ玉７の通過回数を確認することができる。図３はＣＭＯＳセンサー２の光がパチンコ玉７に反射する様子を示す断面側面図であり、釘６の横をパチンコ玉７が通過しその通過途中のガラス面８に部品保持アーム９ａを備えた吸着盤9でＣＭＯＳセンサー２が配置されている。
【００１６】
図４は検出器全体の構成を示し、検出器本体４の発振回路によって生成されたパルス信号をＣＭＯＳセンサー２の発光部２ａに送り、光に変換した後パルス光を照射する。
【００１７】
上記照射された光はその前を通過したパチンコ玉７に反射し、該反射光は受光部２ｂで受光してパルス信号に変換し、もう１本のデータ線３を経て検出器本体４のＡＭＰに至る。
【００１８】
先に発信したパルスの周波数に同期した周波数で受光された光信号により、自身で発した信号であることを確認することによりパチンコ玉７の通過を確認する。
【００１９】
以上のような構成により、調整者は修正する釘６に対し、パチンコ玉７は弾かれて右方向に流れ落ちるか左方向に流れるかの判断がつかない場合、ＣＭＯＳセンサー２をその釘６の左右の玉の流れる軌跡の上のガラス面８に取り付ける。
【００２０】
しばらくの間検出用のパチンコ玉７を打ち続けてみて上記釘６の左右に取り付けたＣＭＯＳセンサー２のカウント数を調べて、どちらがどれくらい多く玉が通過するかを比較することにより傾向を知ることができる。
【００２１】
上記の通過量の比較により、調整者は右側により多くの玉を弾かせたい場合、又は左側により多くの玉を弾かせたい場合など、上記の作業を繰り返すことにより容易になし得る。
【図面の簡単な説明】
【００２２】
【図１】パチンコ台１にパチンコ玉軌跡検出器を取り付けた状態の斜視図である。
【図２】１本の釘の横をパチンコ玉が通過する様子とＣＭＯＳセンサーの取付位置の関係を示す正面図である。
【図３】ＣＭＯＳセンサーの光をパチンコ玉が反射する形態を示す断面側面図である    。
【図４】検出器全体のブロック図である
【符号の説明】
【００２３】
１      パチンコ台
２      ＣＭＯＳセンサー
２ａ    発光部
２ｂ    受光部
３      データ線
４      検出器本体
５      液晶表示器
６      釘
７      パチンコ玉
８      ガラス面
９      吸着盤
９ａ    部品保持アーム
【図１】
0003134073.tif 000003
【図２】
0003134073.tif 000004
【図３】
0003134073.tif 000005
【図４】
0003134073.tif 000006